(57)【要約】【課題】ＣＯ２ガスやダイオキシンの発生をなくして環境破壊を防ぐことができる環境にやさしい棺桶を提供する。【解決手段】棺桶本体１の主要部を段ボールまたは紙で形成し、棺桶本体１を構成する壁面２の一部または全部を二重構造として外壁２ａと内壁２ｂとの間に空間部３を形成するとともに、前記内壁２ｂには１個または２個以上の透孔４を形成し、前記空間部３に冷却装置１０を連結して空間部３に冷却ガスを投入後、前記透孔４から冷却ガスを噴出させ、棺桶本体１の内部を所定温度に保持できる構造とした。前記透孔４は、遺体の顔近辺を除いた場所に形成されていて、冷却ガスが遺体の顔に向けて直接に噴出しない構造となっているのが好ましい。【選択図】図１
2020171570.tif 000002
【特許請求の範囲】
【請求項１】
棺桶本体の主要部を段ボールまたは紙で形成し、
棺桶本体を構成する壁面の一部または全部を二重構造として外壁と内壁との間に空間部を形成するとともに、前記内壁には１個または２個以上の透孔を形成し、
前記空間部に冷却装置を連結して空間部内に冷却ガスを投入後、前記透孔から冷却ガスを噴出させ、棺桶本体の内部を所定温度に保持できる構造としたことを特徴とする環境にやさしい棺桶。
【請求項２】
透孔は、遺体の顔近辺を除いた場所に形成されていて、冷却ガスが遺体の顔に向けて直接に噴出しない構造となっている請求項１に記載の環境にやさしい棺桶。
【請求項３】
冷却装置は、窒素ガスにより冷却するものである請求項１または２に記載の環境にやさしい棺桶。
【発明の詳細な説明】
【技術分野】
【０００１】
本発明は、ＣＯ２ガスやダイオキシンの発生をなくして環境破壊を防ぐことができる環境にやさしい棺桶に関するものである。
【背景技術】
【０００２】
従来から、棺桶は主要部が木製やプラスチック製のものが主流である。また、遺体の傷みを防止する方法としては、ドライアイスからなる保冷剤を棺桶内に収納する方法が一般的であった。
【０００３】
しかしながら、火葬場における焼却処理数は膨大であり、木製やプラスチック製の棺桶を焼却処理した時に発生するダイオキシンが、環境破壊を招くという問題点が指摘されていた。また、棺桶内にドライアイスが残っていると、焼却時にダイオキシンを発生させるという問題点があった。更に、前記ドライアイスはＣＯ２ガスを発生させるため、保冷剤の使用は地球の温暖化を促進させるという問題点も指摘されていた。
【０００４】
そこで、棺桶を段ボールで成形して焼却時のダイオキシンの発生を少なくできるものや、また棺桶内のドライアイスを取り出しやすくしてダイオキシンの発生を少なくできる環境にやさしい棺桶が提案されている（例えば、特許文献１や特許文献２を参照）。一方、ドライアイスに替えて窒素ガスによる冷却装置を用い、ＣＯ２ガスの発生を防止するという環境保護棺桶も提案されている（例えば、特許文献３や特許文献４を参照）。
しかし、焼却時のダイオキシンの発生を少なくし、同時にＣＯ２ガスの発生も防止するという環境にやさしい棺桶の提案は現時点でまだなされていない。
【先行技術文献】
【特許文献】
【０００５】
【特許文献１】特許第４０４５３６３号公報
【特許文献２】特開２００３−２１０５３４号公報
【特許文献３】特開２００３−６６０号公報
【特許文献４】特開平９−２８６７０１号公報
【発明の概要】
【発明が解決しようとする課題】
【０００６】
本発明は上記のような従来の問題点を解決して、ＣＯ２ガスやダイオキシンの発生をなくして環境破壊を防ぐことができる環境にやさしい棺桶を提供することを目的とするものである。
【課題を解決するための手段】
【０００７】
上記課題を解決するためになされた本発明の環境にやさしい棺桶は、棺桶本体の主要部を段ボールまたは紙で形成し、
棺桶本体を構成する壁面の一部または全部を二重構造として外壁と内壁との間に空間部を形成するとともに、前記内壁には１個または２個以上の透孔を形成し、
前記空間部に冷却装置を連結して空間部内に冷却ガスを投入後、前記透孔から冷却ガスを噴出させ、棺桶本体の内部を所定温度に保持できる構造としたことを特徴とするものであり、これを請求項１に係る発明とする。
【０００８】
好ましい実施形態によれば、前記透孔は、遺体の顔近辺を除いた場所に形成されていて、冷却ガスが遺体の顔に向けて直接に噴出しない構造となっているものが好ましく、これを請求項２に係る発明とする。
【０００９】
また、その他の好ましい実施形態によれば、前記冷却装置は、窒素ガスにより冷却するものが好ましく、これを請求項３に係る発明とする。
【発明の効果】
【００１０】
請求項１に係る発明では、棺桶本体の主要部を段ボールまたは紙で形成し、棺桶本体を構成する壁面の一部または全部を二重構造として外壁と内壁との間に空間部を形成するとともに、前記内壁には１個または２個以上の透孔を形成し、前記空間部に冷却装置を連結して空間部内に冷却ガスを投入後、前記透孔から冷却ガスを噴出させ、棺桶本体の内部を所定温度に保持できる構造としたので、棺桶の焼却時に完全燃焼してダイオキシンが発生するのを防止することができ、また遺体の冷却にドライアイスを使用しないので、ＣＯ２ガスの発生もなく環境破壊を防ぐことができる
【００１１】
また、請求項２に係る発明では、前記透孔は、遺体の顔近辺を除いた場所に形成されていて、冷却ガスが遺体の顔に向けて直接に噴出しない構造となっているので、遺体の顔が冷却されて冷たい表情となるのを防ぎ、血の通った暖かい表情の顔を保持することができる。
【００１２】
また、請求項３に係る発明では、前記冷却装置は、窒素ガスにより冷却するものとしたので、ドライアイスのようにＣＯ２ガスを発生させることがなく、地球の温暖化防止に貢献することができる。また、ドライアイスを使用した場合は焼却処理の直前に棺桶から取り出す作業が必要となって煩わしいが、冷却装置は棺桶からの着脱操作が簡単でありワンタッチで取り外すことができる。
【図面の簡単な説明】
【００１３】
【図１】本発明の実施の形態を示す概略斜視図である。
【図２】壁面の外壁と内壁を示す拡大斜視図である。
【図３】壁面の二重構造を示す説明図である。
【発明を実施するための形態】
【００１４】
以下に、図面を参照しつつ本発明の好ましい実施の形態を示す。
図１は、本発明に係る環境にやさしい棺桶の一例を示すものであり、１は棺桶本体である。また、１ａは蓋体であるが、この蓋体１ａが棺桶本体１の一部であることは勿論である。なお、１ｂは蓋体１ａに形成された遺体の頭部を拝顔するための透明窓１ｂであり、以上の基本的な構造は従来の棺桶と同じである。
【００１５】
前記棺桶本体１の主要部は、段ボールまたは紙で形成されている。例えば、前記透明窓１ｂや段ボール同士の接着部等、主要部以外の部分は合成樹脂や金属等が使用されているという意味である。前記段ボールや紙は、遺体を収納するのに十分な強度を有しているものであり、特に紙の場合は機械的強度の高い積層紙が用いられる。また、前記段ボールや紙は、死体の分解によって生じる化合物に対して耐性を付与し、更には耐水性や撥水性を付与するように表面をプラスチック材料でコーティング処理してあるのが好ましい。
【００１６】
図２〜図３に示されるように、棺桶本体１を構成する壁面２の一部または全部は二重構造となっており、外壁２ａと内壁２ｂとの間には空間部３が形成されている。この空間部３は、空気層によって棺桶の内部と外部とを熱的に遮断する目的と、この空間部３内に投入した冷媒によって棺桶内部を所定温度以下に保冷する目的を有している。
【００１７】
前記内壁２ｂには、１個または２個以上の透孔４が形成されており、この透孔４を通じて空間部内に投入した冷媒が棺桶内部へ噴出される構造となっている。なお、前記透孔４の大きさ、設定位置、個数等については最適な冷却効果を発揮するように適宜設計することができる。
また前記透孔４は、遺体の顔近辺を除いた場所に形成されていて、冷却ガスが遺体の顔に向けて直接に噴出しない構造とするのが好ましく、この場合は、遺体の顔が冷却されて冷たい表情となるのが防止され、血の通った暖かい表情の顔を保持することができることとなる。
【００１８】
前記空間部３には、冷却装置１０が連結されており、空間部３内に投入された冷却ガスを前記透孔４から噴出させることで、棺桶本体１の内部を所定温度以下に保持できる構造となっている。本発明では、冷却ガスは複数の透孔４から棺桶本体１内へ均一に噴出されるため、棺桶内を所定温度以下に確実に保持制御することができる。
【００１９】
前記冷却装置１０としては、窒素ガスにより冷却するものを用いるのが好ましい。窒素ガスによる冷却は、液体窒素がガス化する際の吸熱作用を利用するものであり、ドライアイスのようにＣＯ２ガスの発生がなく地球環境にやさしいものである。
なお、窒素ガスを遺体の保存に利用する技術は公知であるが、段ボール製の棺桶に利用したものは存在せず、本発明では、棺桶本体１を構成する壁面２の一部または全部を二重構造として外壁２ａと内壁２ｂとの間に空間部３を形成するとともに、前記内壁２ｂにはガス噴出用の透孔４を形成した構造とすることで、窒素ガスを利用した環境にやさしい棺桶を完成するに至ったものである。
【００２０】
また、棺桶と記冷却装置１０との接続構造としては、図３に示されるように、冷却装置１０と棺桶本体１とを供給ホース１１で連結し、供給ホース１１の先端に設けたノズル１２を棺桶本体１に設けたアタッチメント５に装着するものとできる。このような接続構造では、焼却処理の直前に前記ノズル１２を棺桶本体１からワンタッチで取り出すことができるので、ドライアイスを使用した場合のように焼却処理の直前に棺桶から取り出す作業が不要で煩わしさがなくなる。
【００２１】
なお、図示のものでは、冷却装置１０を棺桶本体１と蓋体１ａの両方に接続した場合を示しているが、冷却条件に応じて棺桶本体１のみ、または蓋体１ａのみに接続することや、桶本体１の複数個所に接続することもできる。また、棺桶本体１の温度と冷却ガスの供給量とをリンクさせて自動制御するように、冷却装置１０に制御器（図示せず）を取り付けることもできる。
【００２２】
次に、上記のように構成した棺桶の使用手順につき説明する。
本発明の棺桶は、通夜から出棺までの間、遺体を棺桶に保存するとともに、この間、冷却処理して遺体の損傷を防止する点は従来の棺桶と基本的に同じである。本発明では、冷却ガスとして窒素ガスを用いるので、冷却効果が高くてＣＯ２ガスの発生もなく地球環境にやさしいものである。また、騒音の発生もないので静粛に葬儀の進行を行うことができる。更に、死体の分解によって生じる化合物に対する耐性や耐水性や撥水性を付与するプラスチック材料で段ボール表面をコーティング処理してあるので、化合物の漏洩や異臭の発生を防止することができる。
【００２３】
次に、焼却の際には、棺桶のアタッチメントから供給ホースのノズルを取り外すだけでよく、ドライアイスを使用した場合のように焼却処理前に棺桶から取り出す作業が不要で煩わしさがない。また、段ボールは容易に完全燃焼するためダイオキシンの発生を防止することができるうえ、燃料費も安く抑えることができる。
【００２４】
以上の説明からも明らかなように、本発明は棺桶本体の主要部を段ボールまたは紙で形成し、棺桶本体を構成する壁面の一部または全部を二重構造として外壁と内壁との間に空間部を形成するとともに、前記内壁には１個または２個以上の透孔を形成し、前記空間部に冷却装置を連結して空間部内に冷却ガスを投入後、前記透孔から冷却ガスを噴出させ、棺桶本体の内部を所定温度に保持できる構造としたので、ＣＯ２ガスおよびダイオキシンの発生をなくして環境破壊を防ぐことができる環境にやさしい棺桶を提供することができることとなる。
【符号の説明】
【００２５】
１  棺桶本体
１ａ  蓋体
１ｂ  透明窓
２  壁面
２ａ  外壁
２ｂ  内壁
３  空間部
４  透孔
５  アタッチメント
１０  冷却装置
１１  供給ホース
１２  ノズル
【図１】
2020171570.tif 000003
【図２】
2020171570.tif 000004
【図３】
2020171570.tif 000005